(57)【特許請求の範囲】
【請求項１】
帯電部材により被帯電体に振動電圧を印加して被帯電体を帯電させる帯電装置において、周波数（ｆ0）の振動電圧を有する帯電部材と、固有振動数（ｆ1）を有する被帯電体と、該被帯電体を構成するシリンダの両端開口部に夫々嵌合され、その開口内部を支持する支持部材の支持点間の距離によって決定される被帯電体の長さ（ｌ）を変更することにより上記固有振動数（ｆ1）を調整する調整手段とを有し、ｆ1≦２ｆ0である場合の上記被帯電体の固有振動数（ｆ1）を上記帯電部材の振動電圧の周波数（ｆ0）と（２ｆ0）の中間の値の周波数とし、ｆ1≧２ｆ0である場合の上記被帯電体の固有振動数（ｆ1）を（２ｆ0）と（３ｆ0）の中間の値の周波数にすることにより異音の発生を防止することを特徴とする帯電装置。
【請求項２】
請求項１記載の帯電装置において、上記調整手段により、帯電部材により周波数（ｆ0）の振動電圧が印加される固有振動数（ｆ1）を有する被帯電体を支持する支持部材の支持位置を移動させることにより、上記被帯電体の長さ（ｌ）を変更して、ｆ1≦２ｆ0である場合の上記被帯電体の固有振動数（ｆ1）をｆ1＝（ｆ0＋２ｆ0）／２とし、ｆ1≧２ｆ0である場合の上記被帯電体の固有振動数（ｆ1）がｆ1＝（２ｆ0＋３ｆ0）／２となるように上記被帯電体の固有振動数（ｆ1）を調整して異音の発生を防止するようにしたことを特徴とする帯電装置。
【請求項３】
請求項１又は２記載の帯電装置において、上記帯電部材と上記被帯電体とを接触させた状態で上記振動電圧を印加することを特徴とする帯電装置。
【請求項４】
請求項１又は２記載の帯電装置において、上記帯電部材と上記被帯電体とを非接触状態にした状態で上記振動電圧を印加することを特徴とする帯電装置。
【請求項５】
請求項１、２、３又は４記載の帯電装置において、上記帯電部材を帯電ローラとしたことを特徴とする帯電装置。
【請求項６】
請求項１、２、３、４又は５記載の帯電装置において、被帯電体を像担持体としたことを特徴とする帯電装置。
【請求項７】
上記帯電装置と、上記帯電装置の帯電部材により均一に帯電された被帯電体上を露光して静電潜像を形成する露光手段と、上記露光手段により形成された静電潜像を現像してトナー画像を形成する現像手段とを有し、上記帯電装置が、請求項１、２、３、４、５又は６記載の帯電装置とを備えていることを特徴とする画像形成装置。
【発明の詳細な説明】
【０００１】
【発明の属する技術分野】
本発明は、帯電装置及びその帯電装置を使用する画像形成装置に関するものである。更に詳しくは、帯電部材により被帯電体に振動電圧を印加して被帯電体を帯電する帯電装置及びその帯電装置を使用する電子写真方式を用いた複写機、プリンタ、ファクシミリ装置あるいはそれらの複合機に関するものである。
【０００２】
【従来の技術】
従来の帯電装置及びその帯電装置を使用する画像形成装置として、帯電部材を被帯電体に接触又は離間させた状態で振動電圧を被帯電体に印加するに際し、振動電界の周波数の範囲や空間周波数、或は被帯電体の移動速度や基材の振動の対数減衰率等を特定することによって、被帯電体の帯電を均一に行うと共にオゾンや振動音の発生を低減するようにした技術は公知である（特開平３−１００６７４号、特開平３−１００６７５号、特開平３−１０１７６４号、特開平４−６７０７２号等の公報を参照）。
振動電圧を被帯電体に印加するに際し、被帯電体が振動して帯電音による異音を生成することを防止するために、被帯電体の質量を大きくしたり、或は重量物により負荷を与えて被帯電体の振動による変形を少なくするようにした技術も公知である（特開平５−３５０４８号、特開平５−３５０５１号、特開平８−１７９６５６号等の公報を参照）。
然し、これらの従来技術にあっては、被帯電体の振動により発生する帯電音による異音の発生を防止するために、重量の増加ばかりでなく、コスト高という問題も生じていた。
又、被帯電体が振動した時の帯電音による異音の発生を防止するために、被帯電体の剛性をヤング率（縦弾性係数）や肉厚の調整により高くすることにより、被帯電体の振動による変形を少なくするようにした技術も公知であるが、前述と同様にコスト高であった（特開平５−３５０５０号公報を参照）。
従って、従来の帯電装置及びその帯電装置を使用する画像形成装置は、帯電部材からの振動電圧の印加によって被帯電体を帯電する際に、被帯電体が振動したときの帯電音による異音の発生を防止するために、制振用の錘を用いるとその分だけ重量が増加するだけでなく、コスト高にもなると言う不具合が生じていた。
【０００３】
【発明が解決しようとする課題】
前述した従来の帯電装置及びその帯電装置を使用する画像形成装置は、帯電部材が振動電圧を印加して被帯電体を帯電する際に、被帯電体の振動による帯電音による異音の発生を防止するために制振用の錘を用いると、重量が増加するだけでなく、コスト高にもなると言う問題があった。
そこで本発明の課題は、このような問題点を解決するものである。即ち、帯電部材が振動電圧を印加して被帯電体を帯電する際の、異音の発生を容易に防止すると共に軽量で低コストの帯電装置及びその帯電装置を使用する画像形成装置を提供することを目的にしている。
【０００４】
【課題を解決するための手段】
上記目的を達成するために、請求項１の発明は、帯電部材により被帯電体に振動電圧を印加して被帯電体を帯電させる帯電装置において、周波数（ｆ0）の振動電圧を有する帯電部材と、固有振動数（ｆ1）を有する被帯電体と、該被帯電体を構成するシリンダの両端開口部に夫々嵌合され、その開口内部を支持する支持部材の支持点間の距離によって決定される被帯電体の長さ（ｌ）を変更することにより上記固有振動数（ｆ1）を調整する調整手段とを有し、ｆ1≦２ｆ0である場合の上記被帯電体の固有振動数（ｆ1）を上記帯電部材の振動電圧の周波数（ｆ0）と（２ｆ0）の中間の値の周波数とし、ｆ1≧２ｆ0である場合の上記被帯電体の固有振動数（ｆ1）を（２ｆ0）と（３ｆ0）の中間の値の周波数にすることにより異音の発生を防止することを特徴とする。
請求項２の発明は、請求項１記載の帯電装置において、上記調整手段により、帯電部材により周波数（ｆ0）の振動電圧が印加される固有振動数（ｆ1）を有する被帯電体を支持する支持部材の支持位置を移動させることにより、上記被帯電体の長さ（ｌ）を変更して、ｆ1≦２ｆ0である場合の上記被帯電体の固有振動数（ｆ1）をｆ1＝（ｆ0＋２ｆ0）／２とし、ｆ1≧２ｆ0である場合の上記被帯電体の固有振動数（ｆ1）がｆ1＝（２ｆ0＋３ｆ0）／２となるように上記被帯電体の固有振動数（ｆ1）を調整して異音の発生を防止するようにしたことを特徴とする。
請求項３の発明は、請求項１又は２記載の帯電装置において、上記帯電部材と上記被帯電体とを接触させた状態で上記振動電圧を印加させるようにしたことを特徴とする。
請求項４の発明は、請求項１又は２記載の帯電装置において、上記帯電部材と上記被帯電体とを非接触状態にした状態で上記振動電圧を印加させるようにしたことを特徴とする。
請求項５の発明は、請求項１、２、３又は４記載の帯電装置において、上記帯電部材を帯電ローラとしたことを特徴とする。
請求項６の発明は、請求項１、２、３、４又は５記載の帯電装置において、被帯電体を像担持体としたことを特徴とする。
請求項７の発明は、上記帯電装置と、上記帯電装置の帯電部材により均一に帯電された被帯電体上を露光して静電潜像を形成する露光手段と、上記露光手段により形成された静電潜像を現像してトナー画像を形成する現像手段とを有し、上記帯電装置が、請求項１、２、３、４、５又は６記載の帯電装置とを備えていることを特徴とする。
【０００５】
【作用】
上記のように構成された帯電装置及びその帯電装置を使用する画像形成装置は、請求項１においては、周波数（ｆ0）の振動電圧を有する帯電部材によって、固有振動数（ｆ1）を有する被帯電体を、調整手段による調整により、上記被帯電体の長さ（ｌ）の変更で固有振動数（ｆ1）を調整出来るようにして、ｆ1≦２ｆ0の場合の上記被帯電体の固有振動数（ｆ1）は、上記帯電部材の振動電圧の周波数（ｆ0）と（２ｆ0）の中間の周波数になるように、ｆ1≧２ｆ0の場合の上記被帯電体の固有振動数（ｆ1）は、（２ｆ0）と（３ｆ0）の中間の周波数で帯電するようにしたので、簡単な調整作業により、上記帯電部材が振動電圧を印加して上記被帯電体を帯電する際の、異音の発生を容易に防止すると共に軽量で低コストの帯電装置を提供することが出来る。
【０００６】
請求項２においては、周波数（ｆ0）の振動電圧を有する帯電部材によって、固有振動数（ｆ1）を有する被帯電体を、調整手段で上記被帯電体の長さ（ｌ）の変更で固有振動数（ｆ1）を調整出来るようにして、ｆ1≦２ｆ0の場合に、上記被帯電体の固有振動数（ｆ1）を、ｆ1＝（ｆ0＋２ｆ0）／２に、ｆ1≧２ｆ0の場合に、上記被帯電体の固有振動数（ｆ1）を、ｆ1＝（２ｆ0＋３ｆ0）／２で帯電するようにしたので、簡単な調整で上記帯電部材が振動電圧を印加して上記被帯電体を帯電する際の、異音の発生を容易に確実に防止すると共に軽量で低コストの帯電装置を提供することが出来る。
請求項３においては、周波数（ｆ0）の振動電圧を有する帯電部材によって、上記帯電部材と接触する固有振動数（ｆ1）を有する被帯電体を、ｆ1≦２ｆ0の場合の上記被帯電体の固有振動数（ｆ1）は、上記帯電部材の振動電圧の周波数（ｆ0）と（２ｆ0）の中間の周波数になるように、ｆ1≧２ｆ0の場合の上記被帯電体の固有振動数（ｆ1）は、（２ｆ0）と（３ｆ0）の中間の周波数で帯電するようにしたので、上記帯電部材が低い振動電圧を印加して上記被帯電体を帯電する際の、異音の発生を容易に防止すると共に軽量で低コストの帯電装置を提供することが出来る。
【０００７】
請求項４の発明においては、周波数（ｆ0）の振動電圧を有する帯電部材によって、上記帯電部材と離間する固有振動数（ｆ1）を有する被帯電体を、ｆ1≦２ｆ0の場合の上記被帯電体の固有振動数（ｆ1）は、上記帯電部材の振動電圧の周波数（ｆ0）と（２ｆ0）の中間の周波数になるように、ｆ1≧２ｆ0の場合の上記被帯電体の固有振動数（ｆ1）は、（２ｆ0）と（３ｆ0）の中間の周波数で帯電するようにしたので、上記帯電部材が上記被帯電体表面を損傷することなく振動電圧を印加して上記被帯電体を帯電する際の、異音の発生を容易に防止すると共に軽量で低コストの帯電装置を提供することが出来る。
請求項５においては、周波数（ｆ0）の振動電圧を有する帯電ローラによって、固有振動数（ｆ1）を有する被帯電体を、ｆ1≦２ｆ0の場合の上記被帯電体の固有振動数（ｆ1）は、上記帯電ローラの振動電圧の周波数（ｆ0）と（２ｆ0）の中間の周波数になるように、ｆ1≧２ｆ0の場合の上記被帯電体の固有振動数（ｆ1）は、（２ｆ0）と（３ｆ0）の中間の周波数で帯電するようにしたので、上記帯電ローラが振動電圧を印加して上記被帯電体を帯電する際の、異音の発生を容易に防止すると共に軽量で低コストの帯電装置を提供することが出来る。
【０００８】
請求項６においては、周波数（ｆ0）の振動電圧を有する帯電部材によって、固有振動数（ｆ1）を有する像担持体を、ｆ1≦２ｆ0の場合の上記像担持体の固有振動数（ｆ1）は、上記帯電部材の振動電圧の周波数（ｆ0）と（２ｆ0）の中間の周波数になるように、ｆ1≧２ｆ0の場合の上記像担持体の固有振動数（ｆ1）は、（２ｆ0）と（３ｆ0）の中間の周波数で帯電するようにして、上記帯電部材が振動電圧を印加して上記像担持体を帯電する際の、異音の発生を容易に防止すると共に軽量で低コストの帯電装置を提供することが出来る。
請求項７においては、周波数（ｆ0）の振動電圧を有する帯電ローラによって、固有振動数（ｆ1）を有する像担持体を、ｆ1≦２ｆ0の場合の上記像担持体の固有振動数（ｆ1）は、上記帯電ローラの振動電圧の周波数（ｆ0）と（２ｆ0）の中間の周波数になるように、ｆ1≧２ｆ0の場合の上記像担持体の固有振動数（ｆ1）は、（２ｆ0）と（３ｆ0）の中間の周波数で帯電するようにしたので、上記帯電ローラが振動電圧を印加して上記像担持体を帯電する際の、異音の発生を容易に防止すると共に軽量で低コストの帯電装置を使用して画像を形成する画像形成装置を提供することが出来る。
【０００９】
【発明の実施の形態】
次に、本発明の実施の形態について図面を参照して説明する。
図１は本発明の一形態例の帯電装置の構成例を示す断面図であり、この帯電装置は、例えば電子写真方式を用いた複写機、プリンタ、ファクシミリ装置あるいはそれらの複合機等の画像形成装置に使用され、周波数（ｆ０  ）の振動電圧を有する帯電部材１である帯電ローラ１ａを、固有振動数（ｆ１  ）を有する被帯電体２である像担持体２ａに接触させた状態で、周波数（ｆ０  ）の振動電圧を印加して像担持体２ａを帯電させる。
尚、図示していないが、周波数（ｆ０  ）の振動電圧を有する帯電ローラ１ａを、固有振動数（ｆ１  ）を有する像担持体２ａから離間させた非接触状態で、周波数（ｆ０  ）の振動電圧を印加して像担持体２ａを帯電するように構成してもよく、この場合には像担持体２ａ表面は接触により発生する損傷を回避出来る。
帯電ローラ１ａが像担持体２ａを帯電する印加電圧は、例えば直流電圧を−８００Ｖ、交流電圧のピーク間電圧を２０００Ｖ、周波数（ｆ０  ）を５５０Ｈｚとする。
像担持体２ａは、中空円筒状のシリンダ２ｂの表面に、厚さ２０μｍの０ＰＣの感光層２ｃを塗布したものであり、シリンダ２ｂの両端開口部内に夫々支持部材４を嵌合することにより支持している。支持部材４は、外周面に駆動力伝達歯車８を有する一方側軸受４ａと、他方側軸受４ｂとから成り、一方側軸受４ａの内側端部に位置する支持部４ａ１  と、他方側軸受４ｂの内側端部に位置する支持部４ｂ１  の外周面によってシリンダ２ｂの内周面を支持している。
【００１０】
支持部材４を構成する一方側軸受４ａと他方側軸受４ｂは、例えばポリカーボネイト等の樹脂により構成することにより、一層軽量で生産性に優れた低コストの帯電装置を提供出来る。一方側軸受４ａの支持部４ａ1及び他方側軸受４ｂの支持部４ｂ1は、シリンダ２ｂの軸方向両端側開口内に夫々軽圧入等により軸方向へ移動可能な状態で仮に固定される。調整手段３は、各軸受４ａ，４ｂを同期して軸方向内外へ等距離移動させる為の手段である。或は、各軸受４ａ，４ｂはシリンダ２ｂ内の適所に接着等によって固定してもよい。シリンダ２ｂは、例えばアルミニウム材等の金属材料で構成し、例えばその外径は３０ｍｍ、厚さは０．７５ｍｍ、長さは２６０ｍｍで上記駆動力伝達用歯車８を介して伝達される図示しないモータからの駆動力により、周速９０ｍｍ／ｓｅｃで回転駆動される。
被帯電体２である像担持体２ａの固有振動数（ｆ1）は、シリンダ２ｂの形状、重量等により決まり、次式で求められる。
（ｆ1）＝λ2／２πｌ2・（ＥＩ／Ａρ）1/2
なお、λは振動数係数、Ｅはアルミニウムのヤング率で６．８６×１０10Ｎ／ｍ2、Ｉは断面２次モーメント、Ａは断面積、ρはアルミニウムの比重で２８００Ｋｇ／ｍ3、λは両端支持で一次振動とするとλ＝πである。
【００１１】
すなわち、像担持体２ａの固有振動数（ｆ１  ）は、１１９０Ｈｚであり、帯電ローラ１ａの印加電圧の周波数（ｆ０  ）は５５０Ｈｚであるため、ｆ１  （１１９０Ｈｚ）はｆ０  の２倍の値である１１００Ｈｚに近くなる。つまり、帯電部材１の印加電圧の周波数（ｆ０  ）及びその整数倍の周波数ｎ（ｆ０  ）に対して、像担持体２ａの固有振動数（ｆ１  ）が共振して共鳴による帯電音が異常音となって発生する。
【００１２】
これに対して本形態例では、ｆ1≧２ｆ0の関係にある場合には、シリンダ２ｂの一端開口内部を支持する一方側軸受４ａ（支持部４ａ1）及び他方側軸受４ｂ（支持部４ｂ1）を夫々シリンダ２ｂの両端側からそれぞれ図示の矢印Ａ又は矢印Ｂ方向の内部方向に等距離づつ移動させて、支持部４ａ1と支持部４ｂ1との間の支持点間距離、つまり支持部４ａ1の左端面と支持部４ｂ1の右端面との間の距離によって決定される像担持体２ａの長さ（ｌ）を２４０ｍｍに変更することにより、像担持体２ａの固有振動数（ｆ1）を１４００Ｈｚに変更することができ、帯電ローラ１ａの印加電圧の２倍周波数と３倍周波数より最も離れた中間値の周波数に近づけることができる。即ち、固有振動数（ｆ1）を、（２倍周波数１１００Ｈｚ＋３倍周波数１６５０Ｈｚ）／２＝１３７５Ｈｚに隣接して、共振、共鳴による異常音の発生しない中間の周波数にすることにより、異音の発生を防止する帯電装置を提供することが出来るようになった。
つまり、この形態例は、ｆ1≧２ｆ0の場合に、像担持体２ａの固有振動数（ｆ1）を、ｆ1＝（２ｆ0＋３ｆ0）／２となるように構成した点が特徴的である。
【００１３】
次に、シリンダ２ｂを長さ３４０ｍｍにすると、像担持体２ａの固有振動数（ｆ1）は、シリンダ２ｂの構造により決まり、次式で求められる。
（ｆ1）＝λ２／２πｌ2・（ＥＩ／Ａρ）1/2
ここで、λは振動数係数、Ｅはアルミニウムのヤング率で６．８６×１０10Ｎ／ｍ2、Ｉは断面２次モーメント、Ａは断面積、ρはアルミニウムの比重で２８００Ｋｇ／ｍ3、λは両端支持で一次振動とするとλ＝πである。
この式によれば、像担持体２ａの固有振動数（ｆ1）は７００Ｈｚであり、この値は帯電ローラ１ａの印加電圧の周波数（ｆ0）の５５０Ｈｚに近い為に、帯電ローラ１ａの印加電圧の周波数（ｆ0）及びその整数倍の周波数ｎ（ｆ0）に像担持体２ａの固有振動数（ｆ1）が近いことにより共振して共鳴による帯電音が異常音となって発生する。
【００１４】
これに対して、本発明の他の形態例では、ｆ1≦２ｆ0の場合には、シリンダ２ｂを支持する一方側軸受４ａ（支持部４ａ1）及び他方側軸受４ｂ（支持部４ｂ1）をシリンダ２ｂの両端側からそれぞれ等距離ずつ図示の矢印Ａ又は矢印Ｂ方向の内部方向に移動して、支持部４ａ1と支持部４ｂ1との支持点間距離、つまり像担持体２ａの長さ（ｌ）を３１０ｍｍとする。すると、像担持体２ａの固有振動数（ｆ1）は、８３６Ｈｚとなり、帯電部材１の印加電圧の１倍周波数と２倍周波数より最も離れた中間値の周波数となる。つまり、像担持体２ａの固有振動数（ｆ1）を（１倍周波数５５０Ｈｚ＋２倍周波数１１００Ｈｚ）／２＝８２５Ｈｚに隣接して、共振、共鳴による異常音の発生しない中間の周波数にすることにより、異音の発生を容易に防止すると共に軽量で低コストの帯電装置を提供することが出来るようになった。即ち、この形態例は、ｆ1≦２ｆ0の場合に、像担持体２ａの固有振動数（ｆ1）が、ｆ1＝（ｆ0＋２ｆ0）／２となるようにした点が特徴的である。
【００１５】
尚、上記形態例ではシリンダ２ｂが、アルミニウム材でその外径が３０ｍｍの場合について説明したが、外径が６０ｍｍ、その他の場合と同様に、像担持体２ａの固有振動数（ｆ１  ）は、帯電ローラ１ａの印加電圧の各整数倍周波数と最も離れた周波数に隣接して、共振、共鳴による異常音の発生しない中間の周波数にすることにより、異音の発生を容易に防止すると共に軽量で低コストの帯電装置を提供することが出来る。
調整手段３は、各軸受４ａ，４ｂの軸心孔に形成した雌螺子部４ａ２  ，４ｂ２  に螺合した状態で貫通配置された送り螺子３ａと、送り螺子３ａの一端部に設けた調整部材３ｂ（操作ノブ）とから成り、送り螺子３ａの両端側に設けた捻れ方向が逆方向の螺子部３ａ１と螺子部３ａ２を、夫々一方側軸受４ａの雌螺子部４ａ２  と他方側軸受４ｂの雌螺子部４ｂ２  に螺合させ、手動又は自動的に上記送り螺子３ａと一体の調整部材３ｂを回動することによって、像担持体２ａの長さ（ｌ）を変更出来るようになっている。
【００１６】
本形態例では、調整手段３の調整部材３ｂを正逆いずれかの方向に所定角度（回数）回動することによって、帯電ローラ１ａにより周波数（ｆ０  ）の振動電圧が印加される固有振動数（ｆ１  ）を有する像担持体２ａを支持する支持部材４の支持部４ａ１  と支持部４ｂ１  の支持位置を移動することができ、この支持位置の移動によって像担持体２ａの長さ（ｌ）を変更して、ｆ１  ≦２ｆ０  の場合に、像担持体２ａの固有振動数（ｆ１  ）を、ｆ１  ＝（ｆ０  ＋２ｆ０  ）／２に、ｆ１  ≧２ｆ０  の場合に、像担持体２ａの固有振動数（ｆ１  ）を、ｆ１  ＝（２ｆ０  ＋３ｆ０  ）／２となるように像担持体２ａの固有振動数（ｆ１  ）を調整して、共振して共鳴による異常音の発生しない中間の周波数にすることにより、異音の発生を防止することが出来るようになっている。
【００１７】
図２は本発明の帯電装置を電子写真方式を用いた複写機、プリンタ、ファクシミリ装置あるいはそれらの複合機等に適用した場合の概略構成図であって、高圧電源９により周波数（ｆ０  ）の振動電圧を有する帯電ローラ１ａにより、固有振動数（ｆ１  ）を有する像担持体２ａに、周波数（ｆ０  ）の振動電圧を印加して、像担持体２ａ上を、上述のように帯電するようになっている。
帯電ローラ１ａにより均一に帯電された像担持体２ａ上は、露光手段６により露光されて静電潜像が形成された後、現像手段７により上記露光手段６により形成された静電潜像を現像したトナー画像を、転写手段１０により転写紙（Ｐ）に転写され、その転写紙（Ｐ）は定着手段１１でトナー像が定着後に装置外に排紙されて収納されるようになっている。
従って、帯電ローラ１ａが振動電圧を印加して像担持体１ａを帯電する際の、異音の発生を容易に防止すると共に軽量で低コストで、帯電して画像を形成する画像形成装置を提供することが出来るようになった。
【００１８】
【発明の効果】
以上のように請求項１の発明によれば、周波数（ｆ０  ）の振動電圧を有する帯電部材によって、固有振動数（ｆ１  ）を有する被帯電体を、ｆ１  ≦２ｆ０  の場合には、被帯電体の固有振動数（ｆ１  ）が、帯電部材の振動電圧の周波数（ｆ０  ）と（２ｆ０  ）の中間の周波数になるように、ｆ１  ≧２ｆ０  の場合には、被帯電体の固有振動数（ｆ１  ）が、（２ｆ０  ）と（３ｆ０  ）の中間の周波数で帯電するようにしたので、帯電部材が振動電圧を印加して被帯電体を帯電する際の、異音の発生を容易に防止すると共に軽量で低コストの帯電装置を提供することが出来るようになった。
請求項２の発明によれば、周波数（ｆ０  ）の振動電圧を有する帯電部材によって、固有振動数（ｆ１  ）を有する被帯電体を、調整手段を用いた調整によって被帯電体の長さ（ｌ）を変更して固有振動数（ｆ１  ）を調整出来るようにしたので、簡単な調整で、帯電部材が振動電圧を印加して被帯電体を帯電する際の、異音の発生を容易に防止すると共に軽量で低コストの帯電装置を提供することが出来るようになった。
請求項３の発明によれば、周波数（ｆ０  ）の振動電圧を有する帯電部材によって、固有振動数（ｆ１  ）を有する被帯電体を、調整手段による調整によって被帯電体の長さ（ｌ）の変更で固有振動数（ｆ１  ）を調整出来るようにして、ｆ１  ≦２ｆ０  の場合に被帯電体の固有振動数（ｆ１  ）を、ｆ１  ＝（ｆ０  ＋２ｆ０  ）／２に、ｆ１  ≧２ｆ０  の場合に被帯電体の固有振動数（ｆ１  ）を、ｆ１  ＝（２ｆ０  ＋３ｆ０  ）／２になるように帯電させたので、簡単な調整で帯電部材が振動電圧を印加して被帯電体を帯電する際の、異音の発生を容易に確実に防止すると共に軽量で低コストの帯電装置を提供することが出来るようになった。
請求項４の発明によれば、請求項１、２又は３において、帯電部材と非帯電体とを接触させるようにしたので、帯電部材が低い振動電圧を印加して被帯電体を帯電する際の、異音の発生を容易に防止すると共に軽量で低コストの帯電装置を提供することが出来るようになった。
【００１９】
請求項５の発明によれば、請求項１、２又は３において、帯電部材が被帯電体表面を損傷することなく振動電圧を印加して被帯電体を帯電する際の、異音の発生を容易に防止すると共に軽量で低コストの帯電装置を提供することが出来るようになった。
請求項６の発明によれば、請求項１、２、３、４、又は５において、帯電部材を帯電ローラとしたので、帯電ローラが振動電圧を印加して被帯電体を帯電する際の、異音の発生を容易に防止すると共に軽量で低コストの帯電装置を提供することが出来るようになった。
請求項７の発明によれば、請求項１、２、３、４、５又は６において、被帯電体を像担持体としたので、帯電部材が振動電圧を印加して像担持体を帯電する際の、異音の発生を容易に防止すると共に軽量で低コストの帯電装置を提供することが出来るようになった。
請求項８の発明によれば、周波数（ｆ０  ）の振動電圧を有する帯電ローラによって、固有振動数（ｆ１  ）を有する像担持体を、ｆ１  ≦２ｆ０  の場合の像担持体の固有振動数（ｆ１  ）は、帯電ローラの振動電圧の周波数（ｆ０）と（２ｆ０  ）の中間の周波数になるように、ｆ１  ≧２ｆ０  の場合の像担持体の固有振動数（ｆ１  ）は、（２ｆ０  ）と（３ｆ０  ）の中間の周波数で帯電するようにしたので、帯電ローラが振動電圧を印加して像担持体を帯電する際の、異音の発生を容易に防止すると共に軽量で低コストの帯電装置を使用して画像を形成する画像形成装置を提供することが出来るようになった。
【図面の簡単な説明】
【図１】本発明の実施の形態例の帯電装置の要部を説明する説明図である。
【図２】本発明の実施の形態例の画像形成装置の要部を説明する説明図である。
【符号の説明】
１  帯電部材、１ａ  帯電ローラ、２  被帯電体、２ａ  像担持体、２ｂ  シリンダ、２ｃ  感光層、３  調整手段、３ａ  送り螺子、３ａ１  螺子部、３ａ２螺子部、３ｂ  調整部材、４  支持部材、４ａ  一方側軸受、４ａ１    支持部、４ａ２    螺子部、４ｂ  他方側軸受、４ｂ１    支持部、４ｂ２    螺子部、５帯電装置、６  露光手段、７  現像手段、８  駆動力伝達用歯車、９  高圧電源、１０  転写手段、１１  定着手段
【図１】
0003627122.tif 000002
【図２】
0003627122.tif 000003